(57)【要約】【課題】抱えた手が外れないように固定できる抱え枕を提供する。【解決手段】本抱え枕１は、卓上に載置し、腕で抱えて使用する抱え枕１であって、使用時に腕で抱える下側枕部１１と、使用時に抱えた人の反対側に位置される下側枕部１１の外側面１１ａに設けられるとともに、手を挿し込むことができる手袋部１３と、下側枕部１１の上に設けられ且つ頭部を載置できる上側枕部１２と、を備える。【選択図】図１
0003197639.tif 000002
【実用新案登録請求の範囲】
【請求項１】
卓上に載置し、腕で抱えて使用する抱え枕であって、
使用時に腕で抱える下側枕部と、
使用時に抱えた人の反対側に位置される前記下側枕部の外側面に設けられるとともに、手を挿し込むことができる手袋部と、
前記下側枕部の上に設けられ且つ頭部を載置できる上側枕部と、を備えることを特徴とする抱え枕。
【請求項２】
前記下側枕部と前記上側枕部とは、脱着可能とされている請求項１に記載の抱え枕。
【請求項３】
前記下側枕部は、必要に応じて膨らませて利用できる構造である請求項１又は２に記載の抱え枕。
【請求項４】
前記手袋部は、指先が露出されるように先端部が開放されている請求項１乃至３のうちのいずれかに記載の抱え枕。
【請求項５】
前記上側枕部は、表皮層と、前記表皮層内に充填された繊維集合体及び／又は発泡体と、を有する請求項１乃至４のうちのいずれかに記載の抱え枕。
【請求項６】
前記上側枕部は、前記下側枕部よりも高さが低い請求項１乃至５のうちのいずれかに記載の抱え枕。
【請求項７】
前記上側枕部は、前記下側枕部よりも横幅が小さい請求項１乃至６のうちのいずれかに記載の抱え枕。
【考案の詳細な説明】
【技術分野】
【０００１】
本考案は、卓上で利用する抱え枕に関する。更に詳しくは、卓上に載置し、腕で抱えて使用することができる抱え枕に関する。
【背景技術】
【０００２】
卓上で枕を使用せず仮眠しようとする場合、自身の腕を枕代わりに利用することが多い。しかしながら、腕を枕代わりに利用すると、頭部の重量が腕に負荷されることになり、次第に腕が痺れる等の症状から仮眠をすることも難しい場合がある。また、腕のみによって頭部の高さを調節することは困難である。そのため、机の高さ等に依存して、頭の位置は高くなったり、低くなったりし、都合の良い位置を得ることは困難である。これらの問題から、卓上で利用できる種々の枕が提案されている。このような技術としては、下記特許文献１−３が挙げられる。
【先行技術文献】
【特許文献】
【０００３】
【特許文献１】実用新案登録第３１２０９２６公報
【特許文献２】実用新案登録第３１３７７６６公報
【特許文献３】実用新案登録第３１７６６８１公報
【考案の概要】
【考案が解決しようとする課題】
【０００４】
しかしながら、特許文献１−３の枕は、いずれの枕も、仮眠時に頭部を固定することができるものの、手を固定することができない。前述のように、腕を枕代わりに利用する際は、結果的に、頭部の重量によって手は固定されることになるが、このように仮眠時に手が固定されることは安眠の観点から重要である。このことから、前述の従来の問題を解決しつつ、更に、手を固定することができる卓上で利用できる枕が求められる。
【０００５】
本考案は、上記従来の技術に鑑みてなされたものであり、卓上で使用できる抱え枕であって、抱えた手が外れないように固定できる抱え枕を提供することを目的とする。
【課題を解決するための手段】
【０００６】
本考案は、以下の通りである。
請求項１に記載の抱え枕（１）は、卓（Ｔ）上に載置し、腕（Ａ１）で抱えて使用する抱え枕（１）であって、
使用時に腕（Ａ１）で抱える下側枕部（１１）と、
使用時に抱えた人（Ａ）の反対側に位置される前記下側枕部（１１）の外側面（１１ａ）に設けられるとともに、手（Ａ２）を挿し込むことができる手袋部（１３）と、
前記下側枕部（１１）の上に設けられ且つ頭部（Ａ３）を載置できる上側枕部（１２）と、を備えることを特徴とする。
請求項２に記載の抱え枕（１）は、請求項１に記載の抱え枕（１）において、前記下側枕部と前記上側枕部とは、脱着可能とされていることを要旨とする。
請求項３に記載の抱え枕（１）は、請求項１又は２に記載の抱え枕（１）において、前記下側枕部（１１）は、必要に応じて膨らませて利用できる構造であることを要旨とする。
請求項４に記載の抱え枕（１）は、請求項１乃至３のうちのいずれかに記載の抱え枕（１）において、前記手袋部（１３）は、指先が露出されるように先端部が開放されていることを要旨とする。
請求項５に記載の抱え枕（１）は、請求項１乃至４のうちのいずれかに記載の抱え枕（１）において、前記上側枕部（１２）は、表皮層と、前記表皮層内に充填された繊維集合体及び／又は発泡体と、を有することを要旨とする。
請求項６に記載の抱え枕（１）は、請求項１乃至５のうちのいずれかに記載の抱え枕（１）において、前記上側枕部（１２）は、前記下側枕部（１１）よりも高さが低いことを要旨とする。
請求項７に記載の抱え枕（１）は、請求項１乃至６のうちのいずれかに記載の抱え枕（１）において、前記上側枕部（１２）は、前記下側枕部（１１）よりも横幅が小さいことを要旨とする。
【考案の効果】
【０００７】
本考案の抱え枕（１）は、卓（Ｔ）上に載置し、腕（Ａ１）で抱えて使用する抱え枕（１）である。そして、使用時に腕（Ａ１）で抱える下側枕部（１１）を有し、この下側枕部（１１）は、使用時に抱えた人（Ａ）の反対側に位置される下側枕部（１１）の外側面（１１ａ）に手（Ａ２）を挿し込むことができる手袋部（１３）が設けられている。このため、腕（Ａ１）に対して頭部（Ａ３）の重量が負荷されることなく安心して仮眠を取ることができる。更に、手袋部（１３）に手（Ａ２）を挿し込むことで、仮眠時に枕（１）に手（Ａ２）を固定でき、安定した仮眠体勢が得られる。加えて、入眠によって脱力した場合であっても、下側枕部（１１）を安定して抱え続けることができる。
また、下側枕部（１１）と上側枕部（１２）とが、脱着可能とされている場合には、これらを分解して収容できるため収容性に優れる。更に、一体物からなる枕に比べてより柔軟に枕全体の高さを調節できる。
【図面の簡単な説明】
【０００８】
本考案について、本考案による典型的な実施形態の非限定的な例を挙げ、言及された複数の図面を参照しつつ以下の詳細な記述によって更に説明するが、同様の参照符号は図面のいくつかの図を通して同様の部品を示す。
【図１】本抱え枕の一例を説明する説明図（斜視図）である。
【図２】本抱え枕の一例を分解して説明する説明図（斜視図）である。
【図３】図２のうち下側枕部を折りたたんだ状態を説明する説明図（斜視図）である。
【図４】本抱え枕の使用態様の一例を説明する説明図（斜視図）である。
【図５】本抱え枕の使用態様の他例を説明する説明図（斜視図）である。
【図６】本抱え枕の使用態様の一例を説明する説明図（側面図）である。
【図７】本抱え枕のうち手袋部を説明する説明図（表側平面図、裏側平面図）である。
【考案を実施するための形態】
【０００９】
以下、図を参照しながら本考案の抱え枕を詳しく説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１０】
本抱え枕（１）は、机（Ｔ）等の卓の上に載置して、腕（Ａ１）で抱えて使用することができる枕である。そして、抱え枕（１）は、下側枕部（１１）と、上側枕部（１２）と、手袋部（１３）と、を備える（図１−図２参照）。
このうち、下側枕部（１１）は、使用時に腕（Ａ１）で抱える部分である。また、使用時に抱えた人（Ａ）の反対側に位置されるように、下側枕部（１１）の外側面（１１ａ）には、手袋部（１３）が設けられている。更に、下側枕部（１１）の上に上側枕部（１２）が設けられている。この上側枕部（１２）は、使用者（Ａ）の頭部（Ａ３）を載置する部分である（図１−図２及び図４−図６参照）。
【００１１】
このような構成によって、使用者（Ａ）は、腕（Ａ１）で下側枕部（１１）を抱え込むことができる。そして、抱えた際には、使用者（Ａ）は腕（Ａ１）の延長上先端に位置する手（Ａ２）を、下側枕部（１１）の反対側の外側面（１１ａ）（抱えた人が位置する側と反対側の外側面１１ａ）に設けられた手袋部（１３）に挿し込んで固定できる。
これによって、使用者（Ａ）は、下側枕部（１１）の左側面に左肘内側を当接させ、下側枕部（１１）の右側面に右肘内側が当接させるように腕（Ａ１）をまわした状態で下側枕部（１１）を腕（Ａ１）で抱え込むことができる。そのうえで、手（Ａ２）を手袋部（１３）に挿し込んでロックするように固定することになるため、楽に安定して下側枕部（１１）を抱え続けることができる。即ち、睡眠によって腕の力が脱けた状態となっても、楽に安定して下側枕部（１１）を抱え続けることが可能である（図４−６参照）。
【００１２】
［１］下側枕部
本抱え枕１のうちの下側枕部１１は、上述の通り、使用時に使用者Ａが腕Ａ１で抱える部分である。この下側枕部１１は、中実の構造とされてもよいが、必要に応じて膨らませて利用できる構造とすることが好ましい。このように、必要に応じて膨らませて利用できる構造とすることにより、不使用時には、下側枕部１１を小さく折りたたんで収容できる（図３参照）。
更に、下側枕部１１と上側枕部１２とは一体に形成されていてもよいが、脱着可能に形成されていることが好ましい。これらが脱着可能である場合には、中実な下側枕部１１と上側枕部１２とを分解できるだけの場合に比べて、より優れた収容性が得られる。
尚、例えば、後述する上側枕部１２に、その側方に開口するように収容孔を孔設した場合、折りたたんだ下側枕部１１や取り外した手袋部１３は、小さく折りたんで収容孔内へ収容することもできる。
【００１３】
上述のように、必要に応じて膨らませて利用できる下側枕部１１の構造としては、（１）密閉可能な袋材から形成されて、気体を導入することによって膨らませることができる風船構造や、（２）密閉可能な袋材と、その内部に充填された弾性圧縮部材とから形成された弾性膨張構造等を採用することができる。
上記（１）の風船構造を採用する場合、下側枕部１１は、密閉可能な袋材を用いて実現される。この場合、下側枕部１１は、使用者Ａが、袋材内へ必要に応じて気体を導入することによって膨張させ、その状態を維持できるように気体止栓を備えることが好ましい。気体止栓を備えることで、使用者Ａは、袋材の内部へ気体を導入して所望の大きさに膨張させた後、気体止栓を閉塞することで、下側枕部１１の膨張状態を維持できる。また、膨張させる際には、例えば、息（呼気）を吹き込んで膨張させてもよいし、各種のポンプ（足踏み式空気入れ、フロアポンプ等）を用いて膨張させてもよい。更に、上述の気体止栓は逆止弁を備えることが好ましい。気体止栓を備えることによって、使用者Ａは、気体の出し入れをより自在に行うことができる。
【００１４】
一方、上記（２）の弾性膨張構造を採用する場合、下側枕部１１は、密閉可能な袋材を採用することに加え、その内部に弾性圧縮部材を充填することによって実現される。ここで、弾性圧縮部材とは、弾性を有するスポンジ様の部材をいう。より具体的には、連続気泡を有し、圧縮によって内部に包含された気体を排出でき、その体積を小さくすることができ、尚且つ、マトリックス材が弾性を有している部材を利用できる。例えば、熱可塑性エラストマーから形成された連泡性スポンジ等を利用できる。また、袋材は密閉可能な構造とするために、上記（１）と同様に、気体止栓を備えることが好ましく、更には、この気体止栓は逆止弁を備えることが好ましい。加えて、圧縮状態を維持するために、袋材の外部に拘束手段（面ファスナーによるベルト等）を備えることが好ましい。
このような、弾性膨張構造を採用した場合には、不使用時に小さく折り畳んでおいた下側枕部１１を、必要に応じて自己膨張させることができ、膨らませる手間を軽減できる。
具体的には、弾性膨張構造を採用した下側枕部１１では、不要時には押圧等の手段によって外側から袋材を圧縮して、内部の弾性圧縮部材に内包された気体を、袋材外部へと排出し、その状態を維持できるように袋材の気体止栓を閉塞することで、小さく折り畳んだ状態にすることができる。そして、本抱え枕１を利用する際には、気体止栓を開放することで、内部の弾性圧縮部材が本来する弾性力によって形状回復する過程で連泡内に気体を取り込みながら膨張し、この弾性圧縮部材の膨張に伴って袋材も膨張されることとなる。そして、下側枕部１１が所望の大きさに膨張されたところで、気体止栓を閉塞することで、下側枕部１１の膨張状態を維持できる。更に、弾性圧縮部材の自己膨張だけで足りない場合には、呼気等によって袋材内へ更に気体を導入して、高さや固さを調整することができる。
【００１５】
このように、下側枕部１１が、膨張可能な構造とされた場合には、使用者Ａは、下側枕部１１を膨らませる程度によって、抱え枕１全体の高さ及び柔らかさを制御することができる。即ち、下側枕部１１を最大限まで膨らませた場合には、通常、抱え枕１の高さは最も高くできる。また、この場合、抱え枕１は、通常、固く設定することができる。その逆に、下側枕部１１の膨らませる程度を控えた場合には、抱え枕１の高さを低く設定することができる。また、この場合、抱え枕１は柔らかめに設定することができる。このように、下側枕部１１が膨張可能な構造であることによって、使用者は、利用し易いように抱え枕１の大きさや固さ、柔らかさを自在にコントロールすることができる。即ち、小さく折りたたんで収容できる優れた収容性に加えて、使用時の快適性を左右する因子を自分の意思により自在にコントロールできる。
【００１６】
下側枕部１１の袋材を構成する材料は、特に限定されないが、膨張可能な構造にするという観点、及び、その気密性の観点から、樹脂材料を用いて一体に形成された袋状物であることが好ましい。具体的には、ポリオレフィン樹脂（ポリエチレン、ポリプロピレン等）、ポリ塩化ビニル、ポリエステル（ＰＥＴ等）、熱可塑性エラストマー等の各種樹脂を適宜利用できる。
【００１７】
下側枕部１１の概形は特に限定されないが、高さに対して幅が大きくなるように形成されていることが好ましい。即ち、下側枕部１１が膨張可能な構造である場合には、膨らませた状態において、高さに対して幅が大きくなるように形成されていることが好ましい。このように、下側枕部１１が、高さに対して幅が大きくなるように形成されている場合には、幅に対して高さが大きくなるように形成されている場合に比べて、使用者Ａが抱え易く、また、卓上でも安定させ易い。即ち、例えば、直方体形状又は俵型形状等とすることができる。
具体的には、最大幅をＷとし、最大高さをＬとした場合に、Ｗ／Ｌは１を超えて３以下となる形状とすることができる。好ましくは１．２以上２．５以下であり、より好ましくは１．５以上２以下である。
更に、下側枕部１１の最大高さは特に限定されないが、１０ｃｍ以上３０ｃｍ以下が好ましい。より好ましくは１５ｃｍ以上２５ｃｍ以下であり、更に好ましくは１７ｃｍ以上２３ｃｍ以下である。尚、下側枕部１１が膨張可能な構造である場合において、その最大高さとは、高さが最も高くなるように膨らませた際の最も高い位置における高さを意味する。
【００１８】
［２］上側枕部１２
本抱え枕１のうちの上側枕部１２は、下側枕部１１の上に設けられる部位であり、使用者Ａの頭部Ａ３を載置する部位である。この上部枕部１２は、下側枕部１１と一体に形成されてもよいが、脱着可能に形成されていることが好ましい。上側枕部１２と下側枕部１１とが脱着可能である場合には、上側枕部１２はこのための接続構造を備える。接続構造はどのような構造であってもよいが、例えば、面ファスナー、スナップ、ボタン、磁石等を利用した接続構造が挙げられる。これらのなかでは、面ファスナーを利用した接続構造が好ましい。面ファスナーは、他の接続構造に比べ、接続面積を大きく取ることができる。そのため、上側枕部１２と下側枕部１１とのスムーズな脱着性を維持しながらも、使用時に上側枕部１２が下側枕部１１から外れることがないように確実に接続を行うことができる。
【００１９】
上側枕部１２と下側枕部１１との接続に上述の面ファスナーを利用する場合、面ファスナーは、フック状起毛のみを有するオス側ファスナーと、ループ状起毛のみを有するメス側ファスナーと、に分離された面ファスナーを用いてもよく、オス・メスの区別がない両性の面ファスナーを用いることもできる。両性の面ファスナーは、即ち、フック状起毛及びループ状起毛の両方を混在させて有する面ファスナーである。
本考案の抱え枕１では、これらのうちでは、オス・メスが分離された面ファスナーが好ましい。即ち、フック状起毛のみを有するオス側ファスナーと、ループ状起毛のみを有するメス側ファスナーと、に分離された面ファスナーを用いることが好ましい。
【００２０】
更に、オス・メスが分離された面ファスナーを用いる場合、上側枕部１２及び下側枕部１１のうちのいずれの側にオス・メスのいずれの側の面ファスナー１４１ａ及び１４１ｂを設けてもよいが、上側枕部１２にメス側ファスナー１４１ｂを、下側枕部１１にオス側ファスナー１４１ａを各々設けることが好ましい。メス側ファスナー１４１ｂであるループ状起毛を有するファスナーは、通常、オス側ファスナー１４１ａよりも柔らかく形成されているため、上側枕部１２により柔らかい側のメス側ファスナー１４１ｂを設けることになる。このように構成することで、上側枕部１２を取り外した際に、上側枕部１２を洗濯し易くできる。
【００２１】
また、面ファスナーはどのような形状で用いてもよい。即ち、上側枕部１２と下側枕部１１とが接する界面の全面に面ファスナーを設けてもよいが、帯状の面ファスナーを利用して、必要な個所にのみ設けることが好ましい。
具体的には、上側枕部１２と下側枕部１１とを、２本以上の帯状の面ファスナーを介して接続することが好ましく、更には、帯状の面ファスナー１４１ａ及び１４１ｂは、その長手方向が、使用者の左右方向（長手方向）に沿って配置されることが好ましい。このように面ファスナーを設けることで、使用時には、上側枕部１２と下側枕部１１とが分離し難く、分離したい場合には容易に分離できる。
尚、面ファスナーを用いる場合、面ファスナーは粘着、熱融着、縫製のいずれの手段によって付設されてもよい。
【００２２】
この上側枕部１２の構造は特に限定されず、例えば、下側枕部１１と同じような膨張可能な構造とすることもできる。この場合には、下側枕部１１と上側枕部１２との両方を膨張可能な構造とすることにより、いずれものパーツの気体を抜いて小さく折りたたんで収容できるために、特に優れた収容性を得ることができる。
しかしながら、枕としての快適性を得る観点から、上側枕部１２は、表皮層とこの表皮層内に充填された繊維集合体及び／又は発泡体と、を有する構造が好ましい。この場合、表皮層は、上側枕部１２の外形を決定する部位であるとともに、内部に充填された繊維集合体及び／又は発泡体を保持する部位である。
【００２３】
表皮層は、内部に繊維集合体及び／又は発泡体を閉じ込めて上側枕部１２の概形を形作る部位である。この表皮層は、どのような材料から形成されてもよい。例えば、皮革（天然皮革、合成皮革）等を用いて形成することもできるが、これら以外の布を用いて形成されることが好ましい。特に、吸湿性を備えた布から形成されることが好ましく、家庭内で水を用いて洗濯できる構造であることが好ましい。これらの観点から、表皮層は、織生地及び編生地から形成されていることが好ましく、特に織生地から形成されていることが好ましい。
生地を構成する繊維の種類は特に限定されず、天然繊維、半合成繊維、合成繊維及び／又は再生繊維等を必要に応じて適宜利用できる。当然ながら、これらの繊維は単独で用いてもよく２種以上を併用してもよい。このうち、天然繊維としては綿、麻、絹等が、半合成繊維としてはアセテート等が、合成繊維としてはポリエステル、ナイロン等が、再生繊維としてはレーヨン等が挙げられる。
【００２４】
一方、表皮層内に充填される繊維集合体及び／又は発泡体は、上側枕部１２の内部を中実にしつつ、上側枕部１２の柔軟性を維持するものである。このうち、繊維集合体としては、表皮層を構成することができる繊維種として例示した上述の繊維種のうちの少なくとも１種を綿（わた）状に集合・集積したものが挙げられる。具体的には、綿、ポリエステル綿等が挙げられる。
また、発泡体としては、各種樹脂材料を用いた発泡体が挙げられる。具体的には、フォーム（一体物、細分化物）、発泡ビーズ等が挙げられる。このうち、フォームとしては、ウレタンフォーム（軟質ウレタンフォーム、低反発ウレタンフォーム等）や、ポリオレフィンフォーム、熱可塑性エラストマーフォーム等が挙げられる。また、発泡ビーズとしては、発泡スチロールビーズ等が挙げられる。これらの発泡体は、１種のみを用いてもよく２種以上を併用してもよい。
尚、表皮層内に充填するものとしては、前述の繊維集合体及び／又は発泡体以外にも、羽毛等を利用することができる。
【００２５】
上側枕部１２の概形は特に限定されないが、高さに対して幅が大きくなるように形成されていることが好ましい。上側枕部１２が、高さに対して幅が大きくなるように形成されている場合には、幅に対して高さが大きくなるように形成されている場合に比べて、頭部Ａ３を載せる領域を広く得ることができ、頭部Ａ３を載置する際により自由な載置を行うことができる。即ち、図４に示すように、使用者Ａは顔を下に向けるようにして利用することもできるし、図５に示すように、使用者Ａは顔を横にむけるようにして利用することもできる。このような形状としては、例えば、直方体形状又は俵型形状等とすることが好ましい。
具体的には、最大幅をＷとし、最大高さをＬとした場合に、Ｗ／Ｌは１を超えて３以下となる形状とすることができる。好ましくは１．２以上２．５以下であり、より好ましくは１．５以上２以下である。
更に、上側枕部１２の最大高さは特に限定されないが、２ｃｍ以上１５ｃｍ以下が好ましい。より好ましくは４ｃｍ以上１３ｃｍ以下であり、更に好ましくは５ｃｍ以上１０ｃｍ以下である。
【００２６】
加えて、上側枕部１２は、上側に対して下側（下側枕部１１と接する側）がより広く形成された形状であることが好ましい。即ち、図１−図６に示すように、側方から見た場合に、略台形状となる形が好ましい。このように上側枕部１２の側形状が、略台形状である場合には、使用時に頭部を載せると、その重量が台形状に下方へ向けて広がるように分散されて下側枕部１１に負荷される。このため、より安定して楽な仮眠体勢を取ることができる。また、上側枕部１２の頂部１２ａの形状も特に限定されないが、頭部Ａ３を置き易いという観点から、平面的に形成され、更には、凹むように形成されていることが好ましい。
【００２７】
更に、上側枕部１２は下側枕部１１よりも体積が小さいことが好ましい。また、上側枕部１２は下側枕部１１よりも高さが低いことが好ましい。更には、上側枕部１２は下側枕部１１よりも横幅が小さいことが好ましい。これらの構成は、いずれか１つのみを採用してもよく２つ以上を同時に採用してもよい。これらの構成の採用により、いずれも、上下のバランスが取り易くなり、抱え枕１を卓上で安定させ易くすることができる。
【００２８】
［３］手袋部１３
本抱え枕１のうち手袋部１３は、使用時に抱えた人（使用者）が、手を挿し込む部位である。この手袋部１３は、抱えた人の反対側に位置するように、下側枕部１１の外側面に設けられている。
即ち、本抱え枕１では、使用時に腕Ａ１で下側枕部１１を抱えるが、この抱えた腕Ａ１の先端部（即ち、手Ａ２）を手袋部１３に挿し込み、下側枕部１１の外側面１１ａに固定できる。そのため、使用者Ａは、下側枕部１１の左側面に左肘内側を当接させ、下側枕部１１の右側面に右肘内側が当接させるように腕をまわし、手を手袋部１３でロックするようにして、下側枕部１１を腕Ａ１で抱え込んで安定させることができる。このため、仮眠において極めて楽な姿勢を維持することができ、下側枕部１１を抱えて安心して仮眠することができる。そして、仮眠時には手Ａ２が手袋部１３に挿し込まれて抜け難くなっているため、睡眠によって腕Ａ１の力が脱けた状態となっても、下側枕部１１を安定して抱え続けることが可能となる。
【００２９】
この手袋部１３は、手Ａ２を挿し込めるように袋状になっていればよく、それ以上の具体的な構成については限定されない。例えば、手袋部１３には、少なくとも４本以上の指を挿し込むことができる構造であることが好ましく、更には、図７に例示するように、５本の指全部を挿し込める構造であることがより好ましい。加えて、図７に例示するように、手の甲及び平を指とともに挿し込むことができる構造であることが更に好ましい。
具体的には、手袋部１３は、５本の指、手の甲及び手の平を挿し込めるように、１つの袋状部を備えることができる。
【００３０】
更に、指を分けて挿し込めるように２つ以上５つ以下に分割された袋部１３４を有することができる。このように指を分けて挿し込める袋部を有する場合には、挿し込んだ手が睡眠時の脱力によって抜け出してしまうことを効果的に防止できる。即ち、例えば、いわゆるミトンのように、親指とその他の指とを分けて挿し込めるように、２つに分割された袋部を有することができる。更には、図７に例示するように、５本の指の各々別々の袋部１３４に挿し込めるように５つの袋部を有する構成とすることもできる。
袋部１３４はより細分化されている方が、挿し込んだ手Ａ２が睡眠時の脱力によって抜け出してしまうことを防止し易いため、２つの袋部のみを有するよりも、５つの袋部を有する形態の方がより好ましい。
尚、図７では、縫製線１３３により内部で区分けされて、各個別の袋部１３４が形成されている。また、図７の手袋部１３は、厚手でこしのあるベース生地１３１の上に、ベース生地１３１に比べて薄手であり、こしのない袋部用生地１３２を被せるようにして縫製されている。
【００３１】
手袋部１３は、挿し込んだ手Ａ２を指先まで覆うように袋状にされていてもよい。また、挿し込んだ手Ａ２の指先のみが露出されるように、手袋部１３の先端部が開放された構造（図７参照）とすることができる。特に、指先の第１関節が露出される程度に露出させてもよい。このように、指先が露出される場合には、指先を内側に曲げて掴むように作用させることができる。この動作状態は睡眠にも維持され易いために、睡眠によって脱力した状態であっても、安定して下側枕部１１を抱え続けることが可能となる。
【００３２】
手袋部１３は、下側枕部１１の外側面に取り外しできないように設置されていてもよいが、脱着可能にされていることが好ましい。脱着可能とされていることによって、必要に応じて手袋部１３を取り外すことができる。そのため、使用者Ａの手Ａ２の大きさに応じて、適した手袋部１３に付け替えることができる。また、必要に応じて手袋部１３を下側枕部１１から取り外して、洗濯することができる。特に、下側枕部１１が膨張可能な構造である場合には、手袋部１３だけを取り外して洗濯できる構造であることによって、下側枕部１１の内部への浸水を防止できる。それとともに、手袋部１３だけを確実に洗濯することができる。
【００３３】
手袋部１３が下側枕部１１に対して脱着可能にされている場合には、手袋部１３及び下側枕部１１は、各々そのための接続構造を備える。接続構造はどのような構造であってもよいが、例えば、面ファスナー、スナップ、ボタン、磁石等を利用した接続構造が挙げられる。これらのなかでは、面ファスナーを利用した接続構造が好ましい。面ファスナーは、他の接続構造に比べ、接続面積を大きく取ることができる。そのため、手袋部１３と下側枕部１１とのスムーズな脱着性を維持しながらも、使用時に手袋部１３が下側枕部１１から外れることがないように確実に接続を行うことができる。
【００３４】
手袋部１３と下側枕部１１との接続に上述の面ファスナーを利用する場合、面ファスナーは、フック状起毛のみを有するオス側ファスナーと、ループ状起毛のみを有するメス側ファスナーと、に分離された面ファスナーを用いてもよく、オス・メスの区別がない両性の面ファスナーを用いることもできる。両性の面ファスナーは、即ち、フック状起毛及びループ状起毛の両方を混在させて有する面ファスナーである。
本考案の抱え枕１では、これらのうちでは、オス・メスが分離された面ファスナーが好ましい。即ち、フック状起毛のみを有するオス側ファスナーと、ループ状起毛のみを有するメス側ファスナーと、に分離された面ファスナーを用いることが好ましい。
【００３５】
更に、オス・メスが分離された面ファスナーを用いる場合、手袋部１３及び下側枕部１１のうちのいずれの側にオス・メスのいずれの側の面ファスナーを設けてもよいが、手袋部１３にメス側ファスナー１４２ｂを、下側枕部１１にオス側ファスナー１４２ａを各々設けることが好ましい。メス側ファスナー１４２ｂであるループ状起毛を有するファスナーは、通常、オス側ファスナー１４２ａよりも柔らかく形成されているため、手袋部１３により柔らかい側のメス側ファスナー１４２ｂを設けることになる。このように構成することで、手袋部１３を取り外した際に、手袋部１３を洗濯し易くできる。
【００３６】
また、面ファスナー１４２ａ及び１４２ｂはどのような形状で用いてもよい。即ち、手袋部１３と下側枕部１１とが接する界面の全面に面ファスナーを設けてもよいが、帯状の面ファスナーを利用して、必要な個所にのみ設けることが好ましい。
具体的には、手袋部１３と下側枕部１１とを、２本以上の帯状の面ファスナーを介して接続することが好ましく、更には、帯状の面ファスナー１４２ａ及び１４２ｂは、その長手方向が、その長手方向が、手袋部１３への手の挿し込み方向と交差するように設けられていることが好ましい。このように面ファスナーを設けることで、使用時には、手袋部１３と下側枕部１１とが分離し難く、分離したい場合には容易に分離できる。
尚、面ファスナーを用いる場合、面ファスナーは粘着、熱融着、縫製のいずれの手段によって付設されてもよい。
【００３７】
本考案の抱え枕１は、前述の下側枕部１１、上側枕部１２及び手袋部１３のみから構成されてもよいが、これら以外の構成を備えることができる。これら以外の構成としては、枕カバーが挙げられる。枕カバーを備える場合、枕カバーは、上側枕部１２のみに設けられてもよいし、上側枕部１２及び下側枕部１１の両方に対して設けられてもよい。更には、上側枕部１２及び下側枕部１１に共通した１枚の枕カバーを用いることもできる。
【００３８】
尚、本考案においては、以上に示した実施形態に限られず、目的、用途に応じて本考案の範囲内で種々変更した態様とすることができる。
【符号の説明】
【００３９】
１；抱え枕、
１１；下側枕部、１１ａ；外側面、
１２；上側枕部、１２ａ；上側枕部の頂部、
１３；手袋部、
１４１ａ；下側枕部側の面ファスナー（上側枕部との接続用）、
１４１ｂ；上側枕部側の面ファスナー（下側枕部との接続用）、
１４２ａ；下側枕部側の面ファスナー（手袋部との接続用）、
１４２ｂ；手袋部側の面ファスナー（下側枕部との接続用）、
Ａ；使用者（抱えた人）、Ａ１；腕、Ａ２；手、Ａ３；頭部、
Ｔ；机。
【図１】
0003197639.tif 000003
【図２】
0003197639.tif 000004
【図３】
0003197639.tif 000005
【図４】
0003197639.tif 000006
【図５】
0003197639.tif 000007
【図６】
0003197639.tif 000008
【図７】
0003197639.tif 000009